(57)【要約】【課題】通信端末を装着せずに通信端末の情報を確認することができる表示装置およびコンピュータ読み取り可能なプログラムを提供する。【解決手段】表示装置が、通信端末から、前記通信端末を識別する識別情報を近距離無線通信により受信する受信部と、前記受信部がした受信した前記識別情報に基づいた表示をする表示部と、を備える。【選択図】図３
2011176678.tif 000002
【特許請求の範囲】
【請求項１】
通信端末から、前記通信端末を識別する識別情報を近距離無線通信により受信する受信部と、
前記受信部が受信した前記識別情報に基づいた表示をする表示部と、
を備えることを特徴とする表示装置。
【請求項２】
前記通信端末は、
前記表示装置に装着可能である
ことを特徴とする請求項１に記載の表示装置。
【請求項３】
前記表示部は、
前記受信部が受信した前記識別情報に応じて、前記通信端末に記憶されている情報の種類を示す情報を表示する
ことを特徴とする請求項１または請求項２に記載の表示装置。
【請求項４】
前記受信部は、
前記通信端末に記憶されている画像を示す情報を前記識別情報として受信し、
前記表示部は、
前記受信部が受信した前記画像を示す情報に基づいて表示する、
ことを特徴とする請求項１から請求項３のいずれか１項に記載の表示装置。
【請求項５】
前記受信部は、
前記通信端末が備える記憶部の空き容量を示す情報を前記識別情報として受信し、
前記表示部は、
前記受信部が受信した前記空き容量を示す情報に基づいて表示する、
ことを特徴とする請求項１から請求項４のいずれか１項に記載の表示装置。
【請求項６】
前記表示装置は、
第１記憶部を備えており、
前記表示部は、
前記受信部が受信した前記空き容量を示す情報に基づく空き容量と前記第１記憶部の空き容量とを比較した結果に応じた表示をする、
ことを特徴とする請求項５に記載の表示装置。
【請求項７】
前記表示部は、
前記受信部が受信した前記空き容量を示す情報に基づいた表示をする場合、予め設定されている画像のサイズを示す情報に基づいて、前記通信端末が備える記憶部に前記サイズの画像を記憶できる枚数を表示する、
ことを特徴とする請求項５または請求項６に記載の表示装置。
【請求項８】
前記受信部は、
前記通信端末から、前記通信端末が備える記憶部の種類を示す情報を前記識別情報として受信し、
前記記憶部が前記表示装置に対応しているか否かを判定する判定部をさらに備え、
前記表示部は、
前記判定部が判定した結果に基づいた表示をする、
ことを特徴とする請求項１から請求項７のいずれか１項に記載の表示装置。
【請求項９】
前記受信部が、複数の前記通信端末のそれぞれから前記識別情報を受信した場合、
前記表示部は、
前記受信部が受信した前記複数の識別情報に基づいた表示をする際、前記複数の通信端末と前記複数の識別情報との対応がわかるようにして、前記複数の識別情報に基づいた表示をする、
ことを特徴とする請求項１から請求項８のいずれか１項に記載の表示装置。
【請求項１０】
前記通信端末に、前記近距離無線通信を介して給電する、
ことを特徴とする請求項１から請求項９のいずれか１項に記載の表示装置。
【請求項１１】
コンピュータに、
近距離無線通信を介して受信された、通信端末を識別する識別情報に基づいた表示をさせる表示手順、
を実行させるためのプログラム。
【発明の詳細な説明】
【技術分野】
【０００１】
本発明は、表示装置およびプログラムに関する。
【背景技術】
【０００２】
従来、カメラなどの撮像装置において、撮像された画像データは、撮像装置に着脱可能なメモリモカードに記録されている（例えば、特許文献１参照）。
【先行技術文献】
【特許文献】
【０００３】
【特許文献１】特開２００１−１９５５５３号公報
【発明の概要】
【発明が解決しようとする課題】
【０００４】
しかしながら、従来技術にあっては、メモリカードを撮像装置に装着しないと画像データを確認することができないという問題があった。
【０００５】
本発明の目的は、通信端末を装着せずに通信端末の情報を確認することができる表示装置およびプログラムを提供することにある。
【課題を解決するための手段】
【０００６】
請求項１に記載の表示装置は、通信端末から、前記通信端末を識別する識別情報を近距離無線通信により受信する受信部と、前記受信部が受信した前記識別情報に基づいた表示をする表示部と、を備えることを特徴とする。
【０００７】
請求項１１に記載のプログラムは、コンピュータに、近距離無線通信を介して受信された、通信端末を識別する識別情報に基づいた表示をさせる表示手順、を実行させる。
【発明の効果】
【０００８】
本発明によれば、通信端末を装着せずに通信端末の情報を確認することができる。
【図面の簡単な説明】
【０００９】
【図１】この発明の一実施形態による撮像装置とメモリカードとの構成の外観を示す外観図である。
【図２】図１の撮像装置を本体底面から見た場合に、撮像装置に内蔵されるメモリカードなどが配置される位置を示す配置図である。
【図３】この発明の一実施形態による撮像装置とメモリカードとの構成を示す構成図である。
【図４】この発明の一実施形態によるメモリカードの構成を示す構成図である。
【図５】この発明の一実施形態による撮像装置の動作を示すフローチャートその１である。
【図６】この発明の一実施形態による撮像装置の動作を示すフローチャートその２である。
【発明を実施するための形態】
【００１０】
以下、図面を参照して、本発明の実施の形態について説明する。図１は、この発明の一実施形態による撮像装置１００の外観を示す外観図である。この図１では、撮像装置１００を背面から見た図である。なお、以降の説明において、撮像装置１００において撮像レンズなどの光学系が備えられる面を前面とし、この前面と対向する面を背面として説明する。また、撮像装置１００においてシャッターボタン１８１が備えられる面を上面とし、この上面と対向する面を底面として説明する。
【００１１】
図１の撮像装置１００の場合、撮像装置１００の背面には、表示部１５０と、十字ボタンおよび確定ボタン１８２とが備えられている。なお、以降の図において、同様の構成には同一の符号を付して説明する。
【００１２】
図２は、図１の撮像装置１００を本体底面から見た場合に、撮像装置１００に内蔵されている記録媒体２００、アンテナ部１９１、および、電源部１９５の配置を示す配置図である。この図２に示されるように、記録媒体２００、アンテナ部１９１、および、電源部１９５は、背面から前面に向かって、アンテナ部１９１、記録媒体２００、電源部１９５の順に、撮像装置１００の内部に配置されている。
【００１３】
なお、この撮像装置１００に対して、メモリカードなどの記録媒体２００が、着脱可能に取り付けられる。たとえば、撮像装置１００は、記録媒体２００が挿入される挿入部を備えている。アンテナ部１９１は、撮像装置１００が記録媒体２００と近距離無線通信する場合に用いられる。バッテリーなどである電源部１９５は、撮像装置１００が動作する場合に用いられる電源を、撮像装置１００が備える各構成に供給する。
【００１４】
図２に示される配置順序において、アンテナ部１９１は、撮像装置１００に内蔵されている記録媒体２００の隣に配置されている。そのため、アンテナ部１９１は、撮像装置１００に内蔵されている記録媒体２００と、近距離無線通信することができる。
また、図２に示される配置順序において、アンテナ部１９１は、撮像装置１００の最も背面側に配置されている。そのため、アンテナ部１９１は、撮像装置１００の外部にある記録媒体２００と、近距離無線通信することができる。
【００１５】
このようにして、記録媒体２００が撮像装置１００に内蔵されている場合であっても、記録媒体２００が撮像装置１００の外部にある場合であっても、アンテナ部１９１は、記録媒体２００と通信することも可能である。
【００１６】
また、電源部１９５は、アンテナ部１９１と記録媒体２００との間の近距離無線通信における電磁波を遮断する。そのため、上記配置により、撮像装置１００の外部にある記録媒体２００であって、撮像装置１００の前面側に配置されている記録媒体２００とは、アンテナ部１９１を介して近距離無線通信しない、または、近距離無線通信することが難しい。これに対して、撮像装置１００の外部にある記録媒体２００であって、撮像装置１００の背面側に配置されている記録媒体２００とは、アンテナ部１９１を介して近距離無線通信することができる。
【００１７】
このようにして、撮像装置１００に対する記録媒体２００の位置により、撮像装置１００と近距離無線通信する記録媒体２００を制限することも可能である。たとえば、撮像装置１００の背面側に配置された記録媒体２００とのみ、撮像装置１００は近距離無線通信するようにすることが可能である。
【００１８】
次に、図３を用いて、この発明の一実施形態による撮像装置１００の構成の一例について説明する。この図１に示されるように、本実施形態に係る撮像装置１００は、撮像部１１０と、制御部１９０と、操作部１８０、画像処理部１４０と、表示部１５０と、記憶部１６０と、バッファメモリ部１３０と、接続部１７０と、アンテナ部１９１と、通信部１９３と、電源部１９５と、バス３００とを備えている。
【００１９】
撮像部１１０は、複数のレンズを備える光学系１１１と、撮像素子１１９と、Ａ/Ｄ変換部１２０とを含み、設定された撮像条件（例えば絞り値、露出値等）に従って制御部１９０により制御され、光学系１１１による光学像を撮像素子１１９に結像させて、Ａ/Ｄ変換部１２０によってデジタル信号に変換された当該光学像に基づく画像データを生成する。
【００２０】
なお、上述した光学系１１１は、撮像装置１００に取り付けられて一体とされていてもよいし、撮像装置１００に着脱可能に取り付けられてもよい。
【００２１】
撮像素子１１９は、例えば、受光面に結像した光学像を電気信号に変換して、Ａ/Ｄ変換部１２０に出力する。
【００２２】
また、撮像素子１１９は、操作部１８０を介して撮影指示を受け付けた際に得られる画像データを、撮影された静止画の撮影画像データとして、Ａ/Ｄ変換部１２０や画像処理部１４０を介して、記録媒体２００に記憶させる。
【００２３】
一方、撮像素子１１９は、たとえば、操作部１８０を介して撮像指示を受け付けていない状態において、連続的に得られる画像データをスルー画（スルー画データ）として、Ａ/Ｄ変換部１２０や画像処理部１４０を介して、表示部１５０に連続的に出力する。
【００２４】
Ａ/Ｄ変換部１２０は、撮像素子１１９によって変換された電子信号をアナログ／デジタル変換し、この変換したデジタル信号である画像データを出力する。
【００２５】
操作部１８０は、例えば、電源スイッチやシャッターボタン１８１、十字キーおよび確定ボタン１８２、その他の操作キーを含み、ユーザによって操作されることでユーザの操作入力を受け付け、制御部１９０に出力する。
【００２６】
画像処理部１４０は、記憶部１６０に記憶されている画像処理条件を参照して、バッファメモリ部１３０、または、記録媒体２００に記録されている画像データに対して画像処理をする。ここでいうバッファメモリ部１３０に記録されている画像データとは、たとえば、上述したスルー画のことである。
【００２７】
また、この画像処理部１４０は、入力された画像を画像処理する場合に、当該入力された画像に対して複数の画像処理を実行する。
【００２８】
表示部１５０は、例えば液晶ディスプレイであって、撮像部１１０によって得られた画像データや、操作画面等を表示する。
【００２９】
記憶部１６０は、制御部１９０によってシーン判定の際に参照される判定条件や、撮像条件等を記憶する。
【００３０】
バッファメモリ部１３０は、撮像部１１０によって撮像された画像データを、一時的に記憶する。
【００３１】
接続部１７０は、カードメモリ等の取り外しが可能な記録媒体２００と接続され、この記録媒体２００への情報の書込み、読み出し、あるいは消去を行う。
【００３２】
記録媒体２００は、撮像装置１００に対して着脱可能に接続される記憶部であって、例えば、撮像部１１０によって生成された（撮影された）画像データを記憶する。
【００３３】
制御部１９０は、撮像装置全体を制御するが、一例としては、画像処理部１４０により画像処理された画像と、基準画像とを表示部１５０に切り替えて表示させる。たとえば、制御部１９０は、画像処理部１４０により画像処理された画像と、撮像部１１０により撮像された像（スルー画）とを、表示部１５０に切り替えて連続的に表示する。
【００３４】
また、制御部１９０は、通信部１９３とアンテナ部１９１とを介して、記録媒体２００と近距離無線通信する。この近距離無線通信の通信方式は、たとえば、Felica（登録商標）、TransferJet、赤外線通信などである。
【００３５】
バス３００は、撮像部１１０と、制御部１９０と、操作部１８０と、画像処理部１４０と、表示部１５０と、記憶部１６０と、バッファメモリ部１３０と、接続部１７０と、通信部１９３とに接続され、各部から出力されたデータ等を転送する。
【００３６】
次に、図４を用いて、本実施形態における記録媒体２００の構成の一例について説明する。記録媒体２００は、記憶部２１０と、接続部２２０と、アンテナ部２３０と、送信部２４０と、電源部２５０とを備えている。
【００３７】
記憶部２１０には、撮像装置１００で撮像された画像が記憶される。この記憶部２１０は、画像記憶部２１１と、サムネイル記憶部２１２と、識別情報記憶部２１３とを備えている。画像記憶部２１１には、撮像装置１００で撮像された画像が記憶される。サムネイル記憶部２１２には、撮像装置１００で撮像された画像のサムネイルが記憶される。
【００３８】
識別情報記憶部２１３には、記憶部２１０を識別する識別情報が記憶されている。この識別情報とは、たとえば、識別情報記憶部２１３を一意に識別する識別情報、識別情報記憶部２１３の種類を示す情報、識別情報記憶部２１３の画像記憶部２１１に記憶されている画像を識別する情報などである。識別情報記憶部２１３には、このような識別情報が予め記憶されていてもよい。なお、識別情報記憶部２１３には、識別情報として、ユーザにより生成されたコメント情報が記憶されてもよい。このコメント情報は、文字形式、画像、アイコンであってもよい。
【００３９】
なお、識別情報記憶部２１３の種類を示す情報とは、記憶可能な最大容量、空き容量、転送速度、転送速度を示すクラス、記憶媒体の種別、記憶媒体の形状、などを示す情報である。この記憶媒体の種別とは、たとえば、ＳＤ（Ｓｅｃｕｒｅ  Ｄｉｇｉｔａｌ）メモリカード、または、ＣＦカードなどを示す情報である。
【００４０】
接続部２２０は、記録媒体２００が備える挿入部に接続された場合、撮像装置１００が備える接続部１７０と電気的に接続される。この接続部２２０を介して、記録媒体２００が備える記憶部２１０は、撮像装置１００により撮像画像などが書き込み、または、読み出しがされる。
【００４１】
アンテナ部２３０は、撮像装置１００が備えるアンテナ部１９１と近距離無線通信するアンテナである。送信部２４０は、アンテナ部２３０を介して撮像装置１００と近距離無線通信する。
【００４２】
電源部２５０は、記録媒体２００が備える各構成に対して電源を供給する。なお、この電源部２５０には、アンテナ部２３０を介して、記録媒体２００の外部から電力が供給されてもよい。たとえば、撮像装置１００が備えるアンテナ部１９１から出力される電磁波に基づいて、電源部２５０が、記録媒体２００が備える各構成に対して電源を供給してもよい。
【００４３】
上述した記録媒体２００が撮像装置１００に挿入されている状態で、撮像装置１００が撮像した場合、撮像された画像は、記録媒体２００が備える画像記憶部２１１に記憶される。また、撮像された画像のサムネイルが、記録媒体２００が備えるサムネイル記憶部２１２に記憶される。
【００４４】
次に、図５を用いて、撮像装置１００により、近距離無線通信により記録媒体２００を確認する場合の動作の一例について説明する。
【００４５】
まず、ユーザは、撮像装置１００を操作して、通信モードをオンにする（ステップＳ１０１）。たとえば、ユーザは、撮像装置１００が備える操作部１８０を操作して、通信モードであることを示す情報を、撮像装置１００が備える制御部１９０に入力する。
【００４６】
次に、撮像装置１００は、無線通信機能を起動する（ステップＳ１０２）。たとえば、通信モードであることを示す情報が入力されたことに応じて、撮像装置１００の制御部１９０は、通信部１９３とアンテナ部１９１とを介して通信を開始する。
【００４７】
次に、撮像装置１００の制御部１９０は、記録媒体２００との通信を確立させる（ステップＳ１０３）。次に、撮像装置１００の制御部１９０は、確立した通信を介して、記録媒体２００に記憶されているデータにアクセスし、データを読み込む（ステップＳ１０４）。
【００４８】
次に、撮像装置１００の制御部１９０は、読み込んだデータを、表示部１５０に表示する（ステップＳ１０５）。その後、撮像装置１００の制御部１９０は、通信部１９３とアンテナ部１９１とを介して通信を終了する。なお、この通信部１９３とアンテナ部１９１とは、無線通信部に対応する。
【００４９】
図２の動作により、撮像装置１００に記録媒体２００を挿入することなしに、撮像装置１００の表示部１５０には、記録媒体２００に記憶されている情報が表示される。これにより、ユーザは、記録媒体２００を撮像装置１００に挿入して接続しなくとも、記録媒体２００の情報を確認することができる。
【００５０】
なお、この図２の動作により、撮像装置１００の制御部１９０は、記録媒体２００から近距離無線通信により受信した（読み出した）データを、表示部１５０に表示している。このデータとは、記録媒体２００を識別する識別情報であり、一例としては、上述した識別情報記憶部２１３に記憶されている識別情報である。
【００５１】
そして、撮像装置１００の制御部１９０は、受信した識別情報に基づいて、表示部１５０に表示させる。たとえば、撮像装置１００の制御部１９０は、受信した識別情報に基づいて、撮像装置１００に記憶されている情報の種類を示す情報を、表示部１５０に表示させる。
【００５２】
これにより、表示部１５０には、たとえば、上述した識別情報記憶部２１３に記憶されている識別情報のうちの一部または全てが表示される。よって、ユーザは、記録媒体２００を撮像装置１００に挿入して接続しなくとも、記録媒体２００の情報を確認することができる。
【００５３】
また、このデータ（識別情報）とは、たとえば、記録媒体２００に記憶されている画像を示す情報であってもよい。この記録媒体２００に記憶されている画像を示す情報は、一例としては、上述した、記録媒体２００のサムネイル記憶部２１２に記憶されているサムネイルである。
【００５４】
また、この記録媒体２００に記憶されている画像を示す情報は、記録媒体２００のサムネイル記憶部２１２に記憶されている複数のサムネイルの中から選択されたサムネイルである代表サムネイルであってもよい。また、画像記憶部２１１に記憶されている複数の画像の中から選択された画像である代表画像であってもよい。
【００５５】
この代表画像は、画像記憶部２１１に記憶されている複数の画像の中のうち、たとえば、撮影日時が最も新しい画像、撮影日時が連続している複数の画像のうちから選択された１つの画像、統計的な処理により選択された画像、または、ユーザにより選択された画像である。代表サムネイルも、代表画像と同様である。
【００５６】
また、この図２の動作において、撮像装置１００の制御部１９０は、記録媒体２００から近距離無線通信により、記録媒体２００が備える画像記憶部２１１の空き容量を示す情報を識別情報として受信し、この受信した空き容量を表示部１５０に表示させてもよい。
【００５７】
また、撮像装置１００に第１の記録媒体２００が内蔵されている場合に、撮像装置１００の外部となる第２の記録媒体２００から近距離無線通信により、第２の記録媒体２００が備える画像記憶部２１１の空き容量を示す情報を識別情報として受信したとする。この場合、撮像装置１００の制御部１９０は、受信した空き容量と、内蔵している第１の記録媒体２００の空き容量とを比較した結果に応じた表示をしてもよい。
【００５８】
たとえば、撮像装置１００の制御部１９０は、受信した空き容量と内蔵している第１の記録媒体２００の空き容量とを比較し、受信した空き容量の方が内蔵している第１の記録媒体２００の空き容量よりも大きい場合には、外部にある第２の記録媒体２００の方が内蔵している第１の記録媒体２００よりも空き容量が多いことを示す情報を、表示部１５０に表示させる。
【００５９】
逆に、撮像装置１００の制御部１９０は、受信した空き容量が内蔵している第１の記録媒体２００の空き容量以下である場合には、内蔵している第１の記録媒体２００の方が外部にある第２の記録媒体２００よりも空き容量が多いことを示す情報を、表示部１５０に表示させる。
【００６０】
これにより、ユーザは、たとえば、内蔵している第１の記録媒体２００を外部にある第２の記録媒体２００に交換する場合、外部にある第２の記録媒体２００を撮像装置１００に挿入することなく、内蔵している第１の記録媒体２００と外部にある第２の記録媒体２００との空き容量を比較できる。そして、ユーザは、比較した結果により交換するか否かを検討した後、内蔵している第１の記録媒体２００を外部にある第２の記録媒体２００に交換することができる。よって、ユーザは、複数の記録媒体２００を交換しやすくなる。
【００６１】
また、撮像装置１００の制御部１９０は、上述したように、記録媒体２００から近距離無線通信により、記録媒体２００が備える画像記憶部２１１の空き容量を示す情報を識別情報として受信し、この受信した空き容量を表示部１５０に表示させる場合、記録媒体２００が備える画像記憶部２１１に記憶できる画像枚数を表示部１５０に表示させてもよい。
【００６２】
たとえば、撮像装置１００において、ユーザの操作または撮像モードにより、撮像する画像サイズ、保存形式、圧縮率などが設定されている。これらにより、撮像装置１００により撮像される画像のサイズは、予め設定されている。このような場合、撮像装置１００の制御部１９０は、受信した空き容量を表示部１５０に表示させる場合、受信した空き容量を予め設定されている画像のサイズで除算し、この除算した値を、記録媒体２００が備える画像記憶部２１１に記憶できる画像枚数として、表示部１５０に表示させる。なお、撮像装置１００の制御部１９０は、除算した値を表示させる場合、少数以下を四捨五入して表示させてもよい。
【００６３】
次に、図６を用いて、撮像装置１００の第２の動作について説明する。なお、この図６は、たとえば、図５のステップＳ１０５の動作において実行される処理である。
【００６４】
まず、撮像装置１００の制御部１９０は、記録媒体２００から識別情報を受信する（ステップＳ２０１）。この識別情報とは、図５のステップＳ１０４において、撮像装置１００の制御部１９０は、記録媒体２００から読み込んだ情報である。なお、この識別情報は、ここでは、記録媒体２００の種別を示す情報であり、たとえば、ＳＤメモリカード、または、ＣＦカードなどを示す情報である。
【００６５】
次に、撮像装置１００の制御部１９０は、記憶部１６０から対応情報を読み出す（ステップＳ２０２）。この対応情報とは、撮像装置１００が対応する記録媒体２００の種別を示す情報であり、たとえば、ＳＤメモリカード、または、ＣＦカードなどを示す情報である。なお、この対応情報は、たとえば、撮像装置１００の記憶部１６０に予め記憶されている。
【００６６】
次に、撮像装置１００の制御部１９０は、識別情報と対応情報とを比較し、記録媒体２００が撮像装置１００に対応しているか否かを判定する（ステップＳ２０３）。
【００６７】
ステップＳ２０２で判定された結果が対応している場合、撮像装置１００の制御部１９０は、記録媒体２００が撮像装置１００に対応していることを示す情報を表示部１５０に表示する。
【００６８】
一方、ステップＳ２０２で判定された結果が対応していない場合、撮像装置１００の制御部１９０は、記録媒体２００が撮像装置１００に対応していないことを示す情報を表示部１５０に表示する。
【００６９】
これにより、撮像装置１００に記録媒体２００を挿入することなしに、撮像装置１００の表示部１５０には、記録媒体２００が撮像装置１００に対応しているか否かの判定結果が表示される。これにより、ユーザは、記録媒体２００を撮像装置１００に挿入して接続しなくとも、記録媒体２００が撮像装置１００に対応しているか否かを確認することができる。
【００７０】
たとえば、撮像装置１００を用いるユーザが、撮像装置１００の挿入する記録媒体２００を購入する場合に、いずれの種類の記録媒体２００が、撮像装置１００に対応しているのかを知らない場合がある。また、対応する記録媒体２００の種類をユーザが知っていたとしても、記録媒体２００を購入する場所において、いずれの記録媒体２００が、対応する記録媒体２００であるのかを、ユーザ自身が判定できない場合がある。
【００７１】
このような場合、本実施形態によれば、ユーザは、記録媒体２００を撮像装置１００に挿入して確認しなくとも、上述したようにして、記録媒体２００が撮像装置１００に対応しているか否かを確認することができる。よって、ユーザは、撮像装置１００に対応している種類の記録媒体２００を購入しやすくなる。
【００７２】
なお、記録媒体２００が撮像装置１００に対応していない場合であっても、たとえば、変換アダプターを介することにより、記録媒体２００が撮像装置１００に対応することもある。そこで、上述したステップＳ２０５において、撮像装置１００の制御部１９０は、記録媒体２００が撮像装置１００に対応していないことを示す情報を表示部１５０に表示する場合に、変換アダプターを介することにより、記録媒体２００が撮像装置１００に対応することを示す情報も表示部１５０に表示する。
【００７３】
これにより、ユーザは、撮像装置１００に対応しない記録媒体２００であっても、変換アダプターを介することにより、撮像装置１００に対応できることを確認することができる。そして、ユーザは、たとえば、撮像装置１００に対応しない記録媒体２００と変換アダプターとを購入することも可能となる。
【００７４】
なお、この変換アダプターを示す情報は、上述した識別情報と対応情報とに関連づけて、記憶部１６０に予め記憶されている。そして、図６のステップＳ２０５において、撮像装置１００の制御部１９０が、ステップＳ２０１にて受信した識別番号と、ステップＳ２０２で読み出した対応情報とに対応する変換アダプターを示す情報を、記憶部１６０から読み出して表示部１５０に表示する。
【００７５】
これにより、上述したステップＳ２０５において、撮像装置１００の制御部１９０は、記録媒体２００が撮像装置１００に対応していないことを示す情報を表示部１５０に表示する場合に、変換アダプターを介することにより、記録媒体２００が撮像装置１００に対応することを示す情報も表示部１５０に表示することができる。
【００７６】
ところで、撮像装置１００は、複数の記録媒体２００と近接通信により通信してもよい。この場合、撮像装置１００の表示部１５０は、複数の記録媒体２００のうち、いずれの記録媒体２００にいずれの情報が記憶されているのかの対応がわかるようにして、表示部１５０に表示する。
【００７７】
たとえば、撮像装置１００の制御部１９０は、記録媒体２００の種類を示す情報と、記録媒体２００に記憶されている代表画像とを対応付けて、表示部１５０に表示する。これは、複数の記録媒体２００の種類がそれぞれ異なる場合に好適である。ここでは記録媒体２００の種類を示す情報を例にして説明しているが、上述した識別情報、または、識別情報に含められている任意の情報であってもよい。
【００７８】
また、たとえば、撮像装置１００の制御部１９０は、記録媒体２００と撮像装置１００との間の距離示す情報と、記録媒体２００に記憶されている代表画像とを対応付けて、表示部１５０に表示する。これは、複数の記録媒体２００と撮像装置１００との間の距離が、それぞれ異なる場合に好適である。
【００７９】
なお、記録媒体２００と撮像装置１００との間の距離は、たとえば、撮像装置１００の制御部１９０が、撮像装置１００のアンテナ部１９１により受信される電磁波の強度を複数の記録媒体２００ごとに測定する。そして、この強度に基づいて、撮像装置１００の制御部１９０が、記録媒体２００と撮像装置１００との間の距離を、複数の記録媒体２００ごとに検出する。
【００８０】
また、たとえば、撮像装置１００の制御部１９０は、撮像装置１００に対する記録媒体２００の方位を示す情報と、記録媒体２００に記憶されている代表画像とを対応付けて、表示部１５０に表示する。これは、撮像装置１００に対する複数の記録媒体２００の方位が、それぞれ異なる場合に好適である。
【００８１】
たとえば、撮像装置１００が複数のアンテナ部１９１を備えている場合、撮像装置１００の制御部１９０は、それぞれのアンテナ部１９１により受信される記録媒体２００からの電磁波の強度を、記録媒体２００ごとに測定する。そして、測定した記録媒体２００ごと電磁波の強度に基づいて、撮像装置１００の制御部１９０は、三角測量の原理により、撮像装置１００に対する記録媒体２００の方位を検出する。
【００８２】
なお、撮像装置１００の制御部１９０は、拡張現実（Augmented Reality（ＡＲ））技術用いて、記録媒体２００の種類を示す情報と、記録媒体２００に記憶されている代表画像とを対応付けて、表示部１５０に表示してもよい。
【００８３】
たとえば、撮像装置１００の制御部１９０は、表示部１５０にスルー画として表示されている記録媒体２００の画像に対応させて、記録媒体２００の種類を示す情報を、スルー画に重畳するように画像合成して表示する。
【００８４】
このようにして、複数の記録媒体２００のうち、いずれの記録媒体２００にいずれの情報が記憶されているのかの対応がわかるようにして表示部１５０に表示される。これにより、ユーザは、複数の記録媒体２００がある場合であっても、いずれの記録媒体２００にいずれの情報が記憶されているのかが確認しやすくなる。
【００８５】
なお、複数の記録媒体２００が、撮像装置１００に内蔵されている記録媒体２００と、撮像装置１００の外部にある記録媒体２００とがある場合には、撮像装置１００の制御部１９０は、複数の記録媒体２００のうち、いずれが撮像装置１００に内蔵されており、いずれが撮像装置１００に外部にあるかがわかるようにして、表示部１５０に表示してもよい。
【００８６】
この記録媒体２００が撮像装置１００の内部にあるか否かの判定は、たとえば、撮像装置１００の制御部１９０が、近距離無線通信により記録媒体２００から受信した当該記録媒体２００を識別する情報と、接続部１７０を介して記録媒体２００から読み出した当該記録媒体２００を識別する情報とが、一致するか否かを判定することにより判定する。
【００８７】
ところで、従来、デジタルカメラなどの撮像装置で撮像した画像データの保存方法として、パーソナルコンピュータ（以下パソコンとする）などが利用されていた。たとえば、パソコンを介して、撮像装置で使用した記録媒体から画像データを他の保存媒体（たとえば、ハードディスクなど）に転送して、画像データは保存されていた。そして、記録媒体自体は繰り返し使用されていた。
【００８８】
しかし、近年、撮像装置で撮像に使用した記録媒体の記録可能容量が減少してきたら、新たに記録媒体を購入し、この購入した新しい記録媒体を撮像装置に用いる。そして、記録可能容量が減少した記録媒体を、そのまま保存する。このようにして、画像データが保存される場合もある。これは、近年、記録媒体が低価格となり、記録媒体を複数購入しやすいからである。
【００８９】
このようにして、画像データが記録された記録媒体が複数となってきた場合であっても、特定の画像データがいずれの記録媒体に記憶されているかを確認するとき、本実施形態によれば、記録媒体などを装置に接続しなくとも画像データを確認することができる。よって、ユーザは、記録媒体に記録された画像データを確認しやすくなる。
【００９０】
また、複数の記録媒体がある場合であっても、複数の記録媒体のいずれの特定の画像データが保存されているかを、容易に確認することができる。そのため、ユーザは、画像データを記録媒体に記録して管理しやすくなる。
【００９１】
なお、本実施形態の説明においては、記録媒体２００に記憶される情報として画像データを用いて説明したが、記録媒体２００に記憶される情報はこれに限られるものではなく、たとえば、文章データ、音楽データなどであってもよい。
【００９２】
また、本実施形態の説明においては、記録媒体２００と近距離無線通信により通信する装置として撮像装置１００の場合について説明したが、この記録媒体２００と近距離無線通信により通信する装置は撮像装置１００に限られるものではない。たとえば、記録媒体２００と近距離無線通信により通信する装置は、パソコンであってもよい。なお、パソコンが近距離無線通信する構成を備えていない場合には、近距離無線通信する構成（たとえばクレードル）を、ＵＳＢ（Universal Serial Bus）接続によりパソコンに接続されるような構成であってもよい。
【００９３】
また、記録媒体２００と近距離無線通信により通信する装置は、液晶表示部と近距離無線通信する通信部とを備えたフォトスタンドであってもよい。この場合、フォトスタンドにより記録媒体２００に記憶されている画像データを確認するのみならず、確認して選択された画像データを記録媒体２００からフォトスタンドに送信するようにしてもよい。
【００９４】
これにより、フォトスタンドに記録媒体２００を接続することなしに、フォトスタンドの表示部に、記録媒体２００に記憶されている画像データを選択して表示させることができる。特に、記録媒体２００が複数ある場合、上述した本実施形態により、複数の記録媒体２００をフォトスタンドに接続しなくとも、複数の記録媒体２００の中から画像データを確認して記録媒体２００を選択できる。そして、その選択した記録媒体２００の中から、フォトスタンドの表示部の表示する画像データを選択できる。そのため、ユーザは、複数の記録媒体２００に記憶されている画像データの中から、容易に画像データを選択して、フォトスタンドに表示することができる。
【００９５】
なお、本実施形態の説明においては、記録媒体２００がメモリカードなどの場合について説明したが、記録媒体２００がメモリカードに限られるものではない。記録媒体２００は、パソコン、携帯型の通信端末、携帯電話、音楽プレイヤーなどの近接通信部を備える端末であってもよい。
【００９６】
また、上記の説明においては、記録媒体２００が備える電源部２５０は、外部から供給される電磁波に基づいて、外部から電力が供給されるものとして説明した。しかし、この電源部２５０は、一次電池や二次電池であってもよい。二次電池の場合、たとえば、記録媒体２００が撮像装置１００に挿入され接続された場合、記録媒体２００が備える接続部２２０を介して、撮像装置１００から電力が供給される。そして、記録媒体２００が備える電源部２５０は、接続部２２０を介して供給された電力を、蓄電する。
【００９７】
なお、記録媒体２００が備える電源部２５０が二次電池の場合、この電源部２５０は、蓄電されている電荷量によっては、記録媒体２００が近距離無線通信する場合、記録媒体２００が備える各構成に電力を十分に供給できない可能性がある。そのため、記録媒体２００が備える電源部２５０は、外部から供給される電磁波に基づいて、外部から電力が供給される方が好ましい。
【００９８】
なお、図１における制御部１９０は、専用のハードウェアにより実現されるものであってもよく、また、メモリおよびマイクロプロセッサにより実現させるものであってもよい。
【００９９】
なお、この制御部１９０は専用のハードウェアにより実現されるものであってもよく、また、この制御部１９０はメモリおよびＣＰＵ（中央演算装置）により構成され、制御部１９０の機能を実現するためのプログラムをメモリにロードして実行することによりその機能を実現させるものであってもよい。
【０１００】
また、図１における制御部１９０の機能を実現するためのプログラムをコンピュータ読み取り可能な記録媒体に記録して、この記録媒体に記録されたプログラムをコンピュータシステムに読み込ませ、実行することにより制御部１９０の処理を実行してもよい。なお、ここでいう「コンピュータシステム」とは、ＯＳや周辺機器等のハードウェアを含むものとする。
【０１０１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１０２】
以上、この発明の実施形態を図面を参照して詳述してきたが、具体的な構成はこの実施形態に限られるものではなく、この発明の要旨を逸脱しない範囲の設計等も含まれる。
【符号の説明】
【０１０３】
１００…撮像装置、１５０…表示部、１９３…通信部、２００…記録媒体
【図１】
2011176678.tif 000003
【図２】
2011176678.tif 000004
【図３】
2011176678.tif 000005
【図４】
2011176678.tif 000006
【図５】
2011176678.tif 000007
【図６】
2011176678.tif 000008